(57)【要約】【課題】画像処理の高速化及び高速印刷を可能にする。【解決手段】画像付属情報を持つ画像データに対して画像処理を行う画像処理装置において、画像付属情報の中から被写体エリア情報及び被写体距離情報等の所定情報を抽出する。抽出された所定情報を利用し記画像データ内の特定領域を決定し、その特定領域もしくは特定領域外に対して間引き処理を行う。そして、前記間引き処理後の画像データに基づいて、印刷を実行する。【選択図】図３
2007325207.tif 000002
【特許請求の範囲】
【請求項１】
画像付属情報が付加された画像データに対して画像処理を行う画像処理装置において、  前記画像付属情報の中から所定情報を抽出する抽出手段と、
前記抽出手段によって抽出された所定情報を用いて前記画像データ内の特定の領域を決定する領域決定手段と、
前記領域決定手段によって決定された前記特定領域もしくは特定領域外に対して、特定の画像処理を行う画像処理手段とを備えたことを特徴とする画像処理装置。
【請求項２】
前記画像処理手段で処理された画像データに基づいて印刷を実行する印刷手段を、更に備えたことを特徴とする請求項１に記載の画像処理装置。
【請求項３】
前記所定情報は、前記画像データの撮影条件を表す被写体エリア情報及び被写体距離情報であり、
前記領域決定手段は、
前記被写体エリア情報によって、前記特定領域を一時的に決定し、さらに前記被写体距離情報に応じて、前記一時的に決定された特定領域を補正することを特徴とする請求項１又は２に記載の画像処理装置。
【請求項４】
前記所定情報は、前記画像データの撮影条件を表す被写体撮影モード情報であり、
前記被写体撮影モード情報に応じて、前記領域決定手段の動作を制御する手段を有することを特徴とする請求項１又は２に記載の画像処理装置。
【請求項５】
前記所定情報は、画像データの撮影条件を表す被写体撮影モード情報であり、
前記被写体撮影モード情報に応じて、前記画像処理手段の動作を制御する手段を有することを特徴とする請求項１又は２に記載の画像処理装置。
【請求項６】
前記所定情報は、画像データの撮影条件を表す焦点面の幅／高さの解像度情報であり、
前記焦点面の幅／高さの解像度情報に応じて、前記特定領域に対して解像度の変換動作を制御する手段を有することを特徴とする請求項１又は２に記載の画像処理装置。
【請求項７】
前記画像処理手段の前記特定の画像処理は、前記画像データに対する間引き処理であることを特徴とする請求項１乃至６に記載の画像処理装置。
【請求項８】
前記間引き処理は、解像度を低下させる処理、或いは階調を低下させる処理であることを特徴とする請求項７に記載の画像処理装置。
【請求項９】
画像付属情報が付加された画像データに対して画像処理を行う画像処理装置の制御方法であって、
前記画像付属情報の中から所定情報を抽出する抽出工程と、
前記抽出工程によって抽出された所定情報を用いて前記画像データ内の特定の領域を決定する領域決定工程と、
前記領域決定工程によって決定された前記特定領域もしくは特定領域外に対して、特定の画像処理を行う画像処理工程とを有することを特徴とする画像処理装置の制御方法。
【請求項１０】
画像付属情報が付加された画像データに対して画像処理を行う画像処理装置の制御方法を実行するための、コンピュータで読み取り可能な制御プログラムであって、
前記画像付属情報の中から所定情報を抽出する抽出ステップと、
前記抽出ステップによって抽出された所定情報を用いて前記画像データ内の特定の領域を決定する領域決定ステップと、
前記領域決定ステップによって決定された前記特定領域もしくは特定領域外に対して、特定の画像処理を行う画像処理ステップとを有することを特徴とする制御プログラム。
【発明の詳細な説明】
【技術分野】
【０００１】
本発明は、印刷装置等の画像処理装置及びその制御方法、並びに前記制御方法を実行するための制御プログラムに関する。
【背景技術】
【０００２】
近年、デジタルカメラ等の撮影画像データにおいては、メタデータと呼ばれる画像付属情報の内容（抽出した画像部分の特徴情報や属性情報）が充実してきており、その利用方法も提案されてきている。
【０００３】
従来の、画像データに対する画像付属情報の利用方法として、例えばデジタルスチルカメラ用の画像ファイルフォーマット規格（Ｅｘｉｆ２．２）では、印刷処理に有用と思われる画像付属情報が新バージョンでサポートされている。この画像付属情報を利用することでより、高画質な印刷結果を得ることも可能である。
【０００４】
上記従来のＥｘｉｆ２．２規格における画像付属情報の利用形態としては、画像データ全体に対して行う画像補正への利用が想定されるが、より高度に画像を補正するためには、画像データの中で特に注目される画像部分に対して画像補正を行うことが求められる。このような画像付属情報を利用して注目画像の検出精度を向上させるとともに、検出された注目画像を利用して画像補正の高度化を図るようにした方法が知られている（特許文献１参照）。
【特許文献１】特開２００５−１７４２４７号公報
【発明の開示】
【発明が解決しようとする課題】
【０００５】
しかしながら、上記特許文献１は、画像付属情報を利用して画像の高品位化を図るための補正を行うものであり、画像処理の時間短縮を図るものではなかった。
【０００６】
本発明では、上記従来の問題点に鑑み、画像付属情報が付加された画像データに対して画像処理を行うに際し、前記画像付属情報を有効利用して、画像処理の高速化を図ることができる画像処理装置及びその制御方法、並びに制御プログラムを提供することを目的とする。
【課題を解決するための手段】
【０００７】
本発明は上記目的を達成するため、画像付属情報が付加された画像データに対して画像処理を行う画像処理装置において、前記画像付属情報の中から所定情報を抽出する抽出手段と、前記抽出手段によって抽出された所定情報を用いて前記画像データ内の特定の領域を決定する領域決定手段と、前記領域決定手段によって決定された前記特定領域もしくは特定領域外に対して、特定の画像処理を行う画像処理手段とを備えたことを特徴とする。
【０００８】
また、本発明は、画像付属情報が付加された画像データに対して画像処理を行う画像処理装置の制御方法であって、前記画像付属情報の中から所定情報を抽出する抽出工程と、前記抽出工程によって抽出された所定情報を用いて前記画像データ内の特定の領域を決定する領域決定工程と、前記領域決定工程によって決定された前記特定領域もしくは特定領域外に対して、特定の画像処理を行う画像処理工程とを有することを特徴とする。
【０００９】
また、本発明は、画像付属情報が付加された画像データに対して画像処理を行う画像処理装置の制御方法を実行するための、コンピュータで読み取り可能な制御プログラムであって、前記画像付属情報の中から所定情報を抽出する抽出ステップと、前記抽出ステップによって抽出された所定情報を用いて前記画像データ内の特定の領域を決定する領域決定ステップと、前記領域決定ステップによって決定された前記特定領域もしくは特定領域外に対して、特定の画像処理を行う画像処理ステップとを有することを特徴とする。
【発明の効果】
【００１０】
本発明によれば、画像付属情報が付加された画像データに対して画像処理を行う画像処理装置において、前記画像付属情報を有効利用して、画像処理の高速化を図ることができる。これにより、印刷処理等の時間短縮が可能になる。
【発明を実施するための最良の形態】
【００１１】
以下、本発明の実施の形態について、図面を参照しながら説明する。
【００１２】
［第１の実施の形態］
＜印刷システムの概略＞
図１は、本発明の第１の実施の形態に係る画像処理装置を含む印刷システムの概略構成を示すブロック図である。
【００１３】
この印刷システムは、デジタルカメラ等の入力デバイス１０１と、この入力デバイス１０１からの画像ファイル１０２を画像処理して印刷する印刷装置１１１とで構成されている。入力デバイス１０１から出力された画像ファイル１０２には、撮影画像データ１０４と、撮影画像データに関する撮影条件等の画像付属情報１０３とが含まれている。
【００１４】
なお、入力デバイス１０１はデジタルカメラ等としているが、パーソナルコンピュータでも良い。つまりパーソナルコンピュータ上のプリンタドライバを経由して印刷装置１１１へ画像データを送付する場合にも本発明は適用可能である。
【００１５】
画像ファイル１０２に記載された撮影画像データ１０４は、印刷装置１１１へ渡される。その方法としては、例えば、入力デバイス１０１中のメモリカードを入力デバイス１０１から印刷装置１１１のメモリスロットへ接続する方法がある。また、ＵＳＢ、ＩＥＥＥ１３９４、シリアル、パラレル等のケーブル接続によってデータを転送する方法や、赤外線通信による方法、無線技術を利用する方法等であっても良い。
【００１６】
印刷装置１１１は、画像処理部１１２、プリンタエンジン１１８、及び表示パネル１１９を備えている。印刷装置１１１がＰＤ（ＰｈｏｔｏＤｉｒｅｃｔ）プリンタ機であるような場合、印刷装置１１１は、パーソナルコンピュータを介することなく、入力デバイス１０１から撮影画像データを直接受け取る。そして、画像処理部１１２において、データ解析処理１１４、特定領域決定処理１１５、特定領域画像処理１１６、及び印刷データ生成処理部１１７を行って、プリンタエンジン１１８で画像印刷を行う。本実施の形態では、ＰＤ機を例に説明する。
【００１７】
また、画像処理部１１２の機能をパーソナルコンピュータによって実現し、ＰＤ機に代わって普通の印刷装置に印刷を行わせるような構成でも、本発明は適用可能である。
【００１８】
画像処理部１１２は、ＣＰＵ、ＲＡＭ、ＲＯＭ等からなる情報処理装置で構成され、この情報処理装置によって、特定領域決定画像処理部１１３及び印刷データ生成部１１７の機能を実現する。特定領域決定画像処理部１１３は、圧縮された画像ファイル１０２を伸張展開し、その中に含まれる撮影画像データ１０４に対して画像付属情報１０３を利用して、特定領域決定処理１１５及び特定領域画像処理１１６を施す。印刷データ生成部１１７は、このような処理を施された撮影画像データ１０４に基づき、印刷命令に従って印刷データを生成しプリンタエンジン１１８へ出力する。プリンタエンジン１１８は、前記印刷データを基に印刷出力を行う。そして、表示パネル１１９は、印刷データ等を表示したり、ユーザの対話入力を行ったりする。
【００１９】
本実施の形態の特徴は、画像ファイル１０２中の画像付属情報１０３を利用して、画像処理部１１２で行われるデータ解析処理１１４及び特定領域決定処理１１５を制御する点と、印刷データ生成部１１７の処理を制御する点である。
【００２０】
＜入力デバイス１０１の記録方法＞
入力デバイス１０１の記録方法としては、例えば、一般にデジタルカメラ用の画像ファイルフォーマットとして用いられているＥｘｉｆ画像ファイル形式（Ｖｅｒ．２．２）を使用する。Ｅｘｉｆ画像ファイルの構造は、基本的にＪＰＥＧ画像ファイルの構造と同様であり、異なる点は、画像付属情報等のデータを、ＪＰＥＧの規約に準じた形式でＪＰＥＧ画像ファイルに埋め込んだ点である。
【００２１】
図２は、本実施の形態に係るＥｘｉｆフォーマットのサブ情報（ＩＦＤタグ）の内容の一例を示した図である。
【００２２】
本実施の形態に係るＥｘｉｆフォーマットのサブ情報は、各種の撮影条件に関する画像付属情報から構成される。即ち、本例における画像付属情報としては、同図に示すように、例えば次のようなものである。
【００２３】
・被写体距離
・測光方式
・被写体エリア
・焦点面の幅の解像度
・焦点面の高さの解像度
・焦点面解像度単位
・デジタルズーム比
・被写体撮影モード
＜印刷装置１１１の動作＞
次に、印刷装置１１１が画像ファイル１０２に従って行う画像印刷について、特に、画像処理部１１２で行われる特定領域決定処理１１５及び特定領域画像処理１１６の処理を中心に説明する。
【００２４】
図３は、本実施の形態に係る印刷装置１１１で実行される一連の動作の手順を示すフローチャートである。
【００２５】
入力デバイス１０１から印刷装置１１１に対して画像ファイル１０２が与えられると、Ｓ３０１において、画像ファイル１０２から画像付属情報１０３を抽出して、特定領域用の設定値を決定するための情報の有無の解析を行う。情報が検出された場合は、領域を特定する設定値をセットする。このＳ３０１の画像付属情報抽出処理については後で図４を参照詳述する。
【００２６】
次のＳ３０２においては、特定領域決定処理１１５を実行する。この特定領域決定処理１１５では、前記Ｓ３０１にて特定領域用の設定値がセットされた場合にはその設定値を用い、それ以外の場合には初期設定値を用いて、受信した撮影画像データ１０４の中から特定領域を決定する。
【００２７】
続くＳ３０３においては、前記特定領域決定処理１１５において特定領域が決定された場合は、特定領域画像処理１１６を実行する。この特定領域画像処理１１６では、決定された注目する特定領域の領域外又は領域内のデータに対して、間引き処理等の特定の画像処理を施す。このときの間引き処理は、特定領域の内外の範囲を判断し、範囲外については、間引き処理として例えば解像度低下処理を強制的に実行する。これにより、画像全体としてのデータ量を低下させ、以降の画像処理時間の短縮を図ることができる。
【００２８】
さらにＳ３０４においては、印刷データを生成する。即ち、印刷データ生成部１１７は、特定領域と共に特定領域外にも画像処理を施した最終データをプリンタエンジン１１８で印刷可能な形態の印刷データ（ＰＤＬデータ：ページ記述言語）へ変換する。そして、Ｓ３０５では、生成された印刷データに従って、プリンタエンジン１１８が印刷を実行する。
【００２９】
図４は、図３中のＳ３０１の画像付属情報抽出処理の詳細を示すフローチャートである。
【００３０】
まずＳ４０１において、印刷用の画像ファイル１０２を取得したか否かの判定を行い、取得した場合はＳ４０２へ進む。Ｓ４０２では、画像ファイル１０２に画像付属情報が含まれているか否かを判定する。具体的には、図２に示すような、領域を特定するのに用いることが有効な画像付属情報の有無を判定する。
【００３１】
このような画像付属情報が含まれているならばＳ４０３へ進み、含まれていないならばＳ４０５へ進む。Ｓ４０３においては、画像付属情報の内容を解析する。次のＳ４０４においては、前記Ｓ４０３の解析結果に基づき、特定領域決定に必要な設定値をセットする。
【００３２】
一方、Ｓ４０５では、画像付属情報が存在しないことを明示し、これ以降では初期設定値等を利用させるような制御を行う。
【００３３】
＜画像付属情報を利用した領域決定処理の詳細＞
次に、画像付属情報を利用した特定領域決定処理（Ｓ３０２）の詳細について説明する。
【００３４】
（Ａ）「被写体エリア」及び「被写体距離」を用いた特定領域決定処理の方法
図２に示すように、被写体エリアに関する情報は、点状、円状、長方形で示される。それぞれについて、図５〜図８を参照して説明する。図５〜図８は、被写体エリア及び被写体距離を用いた領域決定処理の一例を示す概念図である。
【００３５】
（ａ）点状の位置の場合
図５に示すように、被写体エリアに関する情報がＸ方向／Ｙ方向距離データｘ，ｙによる点状の位置の場合では、特定領域となる楕円の半径タｒ，ｓを算定する。半径ｒ，ｓは、イメージの縦横の大きさの１／６を基準として設定する。
【００３６】
即ち、ｒ＝ｘｓｉｚｅ／６
ｓ＝ｙｓｉｚｅ／６
となる。
【００３７】
さらに、「被写体距離」Ｄ（ＳｕｂｊｅｃｔＤｉｓｔａｎｃｅ）を用いて、被写体距離パラメータに応じて領域の面積を変化させる場合は、次のようになる。
【００３８】
基準の焦点距離をＫとしたとき、それより長い焦点距離の場合は領域を小さくすることにより、特定領域の面積の調整を行う。
【００３９】
即ち、ｒ＝ｘｓｉｚｅ／６＋Ａ    但し、Ａ＝（Ｋ−Ｄ）／（Ｄ＾２）
ｓ＝ｙｓｉｚｅ／６＋Ｂ    但し、Ｂ＝（Ｋ−Ｄ）／（Ｄ＾２）
となる。
【００４０】
（ｂ）円状の位置の場合
図６に示すように、被写体エリアに関する情報がＸ方向／Ｙ方向距離データｘ，ｙと半径データｒによる円状の位置の場合では、画像内に含まれる付属情報をそのまま用いて、上記したｘ，ｙによる点状の位置の場合と同様とする。
【００４１】
さらに、この場合において、上記同様に、被写体距離Ｄを用いて、被写体距離パラメータに応じて領域の面積を変化させても良い。この場合では、ｒの信頼度が高いと考えられるので、変化の割合を下げるように補正を行っても良い。
【００４２】
（ｃ）長方形状の位置の場合
図７に示すように、被写体エリアに関する情報がＸ方向／Ｙ方向距離データｘ，ｙと幅データｗと高さデータｈによる長方形状の位置の場合（但しｘ，ｙは中心点）では、画像付属情報のパラメータをそのまま用いて、特定領域とする。
【００４３】
さらに、この場合において、上記同様に、被写体距離Ｄを用いて、被写体距離パラメータに応じて領域の面積を変化させても良い。
【００４４】
（ｄ）他の円状の位置の場合
図８に示すように、被写体エリアに関する情報が複数のＸ方向／Ｙ方向距離データｘ，ｙ及び半径データｒによる円状の位置の場合（３点の場合）では、３点の円の接線をまとめるような１つの領域を抜き出し、これを特定の領域とする。
【００４５】
（Ｂ）「被写体撮影モード」を用いた特定領域決定処理の方法
前記した（Ａ）「被写体エリア」及び「被写体距離」を用いた特定領域決定処理の方法に、さらに被写体撮影モードの情報を加味して特定領域決定処理を行う。つまり被写体撮影モードの情報に応じて特定領域の面積の補正を行う。例えば、近景モードの場合には、被写体は近くにあると考えられ、ピントが合致する特定領域（以下、特定ピント合致領域と記す）の面積は、画像に含まれる情報より大きいと考えられ、特定領域の面積を広くする方向で補正する。
【００４６】
＜画像付属情報を利用した画像処理の制御＞
次に、画像処理を制御するために画像付属情報を利用する方法について説明する。
【００４７】
（Ａ）「被写体撮影モード」を用いた間引き処理量の変化
被写体撮影モードにおいて、マクロモード及び近景モードが指定されている場合には、特定ピント合致領域とそれ以外の領域に大きな差があると考えられる。つまり被写界深度が大きいのである。この場合には、それ以外の領域の画像処理における間引き量を大きくする方向で補正する。間引き量を大きくしながらその画像へのダメージを少なく抑えて印刷することになる。
【００４８】
（Ｂ）「焦点面の幅／高さの解像度」を用いた処理の変化
焦点面の解像度とその他の領域の解像度が異なる場合の画像フォーマット存在する。この１つのケースは、オリジナルのイメージの作成段階で特定ピント合致領域の解像度を上げて撮影している場合である。この場合にそのまま印刷処理を適用すると、通常はイメージオブジェクトに対しての解像度の適用は１つで高解像度に合わせて行うことになる。つまり全体的に一様な解像度変換が適用されてしまう。
【００４９】
このような場合には、焦点面の幅／高さの解像度情報に応じて、特定ピント合致領域の解像度を下げることにより、１つの一様な低解像度方向への処理の適用がなされることになる。これにより、高速ドラフト印刷処理を行うことが可能となる。
【００５０】
＜第１の実施の形態に係る利点＞
本実施の形態によれば、画像ファイル１０２に含まれている画像付属情報１０３を利用したので、印刷装置側の処理だけで画像処理の高速化を図ることができる。即ち、画像付属情報１０３を利用することで、印刷装置１１１側において撮影画像データ１０４の特定領域の領域外または領域内に対して間引き処理を行うことができる。これにより、例えばフォトダイレクトプリンタ（ＰＤ機）において、画像処理の高速化が可能になり、その結果、印刷処理を高速に行うことができる。
【００５１】
［第２の実施の形態］
上記第１の実施の形態では、フォトダイレクトプリンタ（ＰＤ機）に本発明を適用した形態であった。第２の実施の形態では、パーソナルコンピュータ等の外部のホスト装置から印刷装置に対して画像データを送信するような構成において本発明を適用する形態である。したがって、本実施の形態の印刷装置１１１は、例えば、ネットワークに接続される構成、或いは外部インターフェースを備える構成であり、外部のホスト装置から印刷データ（ＰＤＬデータ）を受信するものと想定する。
【００５２】
図９は、本発明の第２の実施の形態に係る画像処理装置の画像処理及び印刷処理の流れを示す図である。
【００５３】
まず処理９０１では、ネットワークや外部インターフェースから印刷データ（ＰＤＬデータ）を受信し、ＰＤＬスプールへデータを保持する。次の処理９０２では、受信したＰＤＬデータを解析し、また伸張する必要があれば行い、ラインバッファに展開、格納する。
【００５４】
続く処理９０３では、ＰＤＬ内で指定されているＰＤＬ処理（色変換、間引き、減色、色判定）を行う。このＰＤＬ処理中に撮影画像データを検出し、この撮影画像データに対して間引き処理を行ってラインバッファ上に展開する。即ち、指定された特定領域の内外の範囲を、画像付属情報を用いて第１の実施の形態と同様に判断し、範囲外については間引き処理（解像度低下処理）を強制的に実行する。これにより、画像全体としてのデータ量を低下させ、画像処理時間の短縮を図ることができる。
【００５５】
このように、上記第１の実施の形態では、印刷データ（ＰＤＬデータ）が生成される前の撮影画像データ１０４に対して間引き処理を実行したが、第２の実施の形態は、既に生成されている印刷データ（ＰＤＬデータ）に対して間引き処理を実行することになる。
【００５６】
その後の処理９０４では、ＪＰＥＧ圧縮処理を行い、ＤｉｓｐｌａｙＬｉｓｔ（ＤＬ）に格納し、さらに処理９０５では、レンダリング処理（画像処理）を行い、イメージスプールに格納する。
【００５７】
次にイメージスプールからプリンタエンジン１１８へ出力が行われ、実際に紙に印刷が行われる。
【００５８】
＜第２の実施の形態に係る利点＞
画像ファイル１０２に含まれている画像付属情報１０３を利用するので、印刷装置１１１側の処理だけで、特定領域の決定を行ったり、画像処理の制御を行ったりすることができる。これにより、パーソナルコンピュータ等の外部のホスト装置から印刷装置１１１に対して画像データを送信するような構成であっても、特定領域の決定や画像処理の制御に関して、パーソナルコンピュータ側のプリンタドライバで処理する必要がない。したがって、本発明の実現に当たってプリンタドライバに負担を強いることがない。
【００５９】
なお、上記第１及び第２の実施の形態では、間引き処理を特定領域の範囲外について行っていたが、範囲内について間引き処理を行うことについても、本発明を適用することが可能である。また、間引き処理は、画像データの解像度を低下させる処理のほかに、階調を低下させる処理であっても良い。
【００６０】
また、第２の実施の形態では、ＰＤＬ処理中に間引き処理を実行したが、圧縮処理時に間引き処理を行うようにして、圧縮率を変化させるようにしても良い。即ち、画像処理を行う場合で、画像付属情報を参照して、その特定領域の内外が判断できる場合であれば、いかなる画像処理においても適用することが可能である。
【００６１】
本発明の目的は、前述した各実施の形態の機能を実現するソフトウェアのプログラムコードを記憶した記憶媒体をシステム或いは装置に供給し、そのシステム或いは装置のコンピュータが前記プログラムコードを読み出し実行することによっても達成される。この場合、記憶媒体から読み出されたプログラムコード自体が前述した各実施の形態の機能を実現することになり、そのプログラムコード及び該プログラムコードを記憶した記憶媒体は本発明を構成することになる。
【００６２】
また、プログラムコードを供給するための記憶媒体としては、例えば次のようなものが挙げられる。即ち、フロッピー（登録商標）ディスク、ハードディスク、光磁気ディスク、ＣＤＲＯＭ、ＣＤＲ、ＣＤＲＷ、ＤＶＤＲＯＭ、ＤＶＤＲＡＭ、ＤＶＤＲＷ、ＤＶＤ＋ＲＷ等の光ディスク、磁気テープ、不揮発性のメモリカード、ＲＯＭ等を用いることができる。又は、プログラムコードをネットワークを介してダウンロードしても良い。
【００６３】
また、本発明は、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）等が実際の処理の一部又は全部を行い、その処理によって前述した各実施の形態の機能が実現される場合も含まれる。
【図面の簡単な説明】
【００６４】
【図１】第１の実施の形態に係る画像処理装置を含む印刷システムの概略構成を示すブロック図である。
【図２】Ｅｘｉｆフォーマットのサブ情報（ＩＦＤタグ）の内容の一例を示した図である。
【図３】第１の実施の形態に係る印刷装置１１１で実行される一連の動作の手順を示すフローチャートである。
【図４】図３中のＳ３０１の画像付属情報抽出処理の詳細を示すフローチャートである。
【図５】被写体エリア及び被写体距離を用いた領域決定処理の一例を示す概念図である。
【図６】被写体エリア及び被写体距離を用いた領域決定処理の一例を示す概念図である。
【図７】被写体エリア及び被写体距離を用いた領域決定処理の一例を示す概念図である。
【図８】被写体エリア及び被写体距離を用いた領域決定処理の一例を示す概念図である。
【図９】第２の実施の形態に係る画像処理装置の画像処理及び印刷処理の流れを示す図である。
【符号の説明】
【００６５】
１０１  入力デバイス
１０２  画像ファイル
１０３  画像付属情報
１０４  撮影画像データ
１１１  印刷装置
１１２  画像処理部
１１３  特定領域決定画像処理部
１１４  データ解析部
１１５  特定領域決定部
１１７  印刷データ生成部
１１８  プリンタエンジン
１１９  印刷装置の表示装置
【図１】
2007325207.tif 000003
【図２】
2007325207.tif 000004
【図３】
2007325207.tif 000005
【図４】
2007325207.tif 000006
【図５】
2007325207.tif 000007
【図６】
2007325207.tif 000008
【図７】
2007325207.tif 000009
【図８】
2007325207.tif 000010
【図９】
2007325207.tif 000011